(57)【特許請求の範囲】
【請求項１】
通信回線に接続される携帯端末と、
前記通信回線を介して前記携帯端末に接続される水道システムサーバと、
前記水道システムサーバに接続され、水道使用者の情報からなる使用者情報、水栓の情報からなる水栓情報、および新旧の水道メータの情報からなるメータ情報を格納するデータベースとを有し、
前記水道システムサーバは、
前記携帯端末から前記通信回線を介して、メータ交換現場において送信されたお客様を特定するお客様番号に基づいて、前記データベースを検索し、お客様番号が一致する前記使用者情報、および前記水栓情報を検出し、検索結果として前記携帯端末に送信し、前記水道メータの交換の際に、前記携帯端末から、新しく取り替えられる前記水道メータの前記メータ情報を取得し、取得した前記メータ情報、前記使用者情報、および前記水栓情報と一致する取り外される水道メータの使用者情報を前記データベースから検索し、前記使用者情報が有する前記水道メータの使用状況が在庫状態であるか否かをチェックし、前記使用状況が在庫状態の際に前記メータ情報に対応する前記使用者情報、および前記水栓情報を更新し、
前記メータ情報は、水道メータにおけるメータ口径、メータ種別、およびメータ番号を有することを特徴とする水道メータ交換システム。
【請求項２】
請求項１記載の水道メータ交換システムにおいて、
前記携帯端末は、
前記水道システムサーバから送信された前記検索結果、および入力された水道メータの交換作業を行った結果の取り外しメータ指針に基づいて、３０日当たりの換算使用水量を算出し、算出した前記換算使用水量が異常であるか正常であるかを判定し、前記判定結果を前記水道システムサーバに送信し、
前記水道システムサーバは、
前記携帯端末から送信された換算使用水量の判定結果が異常の場合、水道メータが交換されたことを水道使用者に通知するメータ交換通知書を出力する際に、使用水量が異常である旨の警告文言を合わせて出力することを特徴とする水道メータ交換システム。
【請求項３】
請求項２記載の水道メータ交換システムにおいて、
前記携帯端末は、
取り外した水道メータの指針と前記検索結果に含まれる指針との差を求め、前記差に１ヶ月当たりの日数である３０を掛けた後、前記３０を掛けた値を前記検索結果に含まれる検針日と前記携帯端末によるシステム処理日付との日数の差によって割ることにより、３０日当たりの前記換算使用水量を算出することを特徴とする水道メータ交換システム。
【請求項４】
通信回線に接続される携帯端末と、前記通信回線を介して前記携帯端末に接続される水道システムサーバとを有するコンピュータシステムにより、水道メータ交換に伴うデータ処理を行うデータ管理方法であって、
メータ交換現場において前記携帯端末から前記通信回線を介して送信されたお客様を特定するお客様番号に基づいて、前記水道システムサーバが前記水道システムサーバに接続されたデータベースを検索し、お客様番号が一致する使用者情報、および水栓情報を検出するステップと、
前記水道システムサーバが、前記水道メータの交換の際に、前記携帯端末から、新しく取り替えられる前記水道メータの情報からなるメータ情報を取得し、取得した前記メータ情報、前記使用者情報、および前記水栓情報と一致する取り外される水道メータの使用者情報を前記データベースから検索し、前記使用者情報が有する前記水道メータの使用状況が在庫状態であるか否かをチェックするステップと、
前記水道システムサーバが、前記水道メータの使用状況が在庫状態であると判断した際に、取得した前記メータ情報に対応する前記使用者情報、および前記水栓情報を更新するステップとを有し、
前記メータ情報は、水道メータにおけるメータ口径、メータ種別、およびメータ番号を有することを特徴とするデータ管理方法。
【請求項５】
請求項４記載のデータ管理方法において、
前記水道システムサーバから送信された前記検索結果、および入力された水道メータの交換作業を行った結果の取り外しメータ指針に基づいて、前記携帯端末が３０日当たりの換算使用水量を算出し、算出した前記換算使用水量が異常であるか正常であるかを判定し、前記判定結果を前記水道システムサーバに送信するステップと、
前記検出した前記使用者情報、および前記水栓情報を更新するステップが終了した後、前記水道システムサーバが、水道メータが交換されたことを水道使用者に通知するメータ交換通知書を出力するステップとを有し、
前記携帯端末から送信された換算使用水量の判定結果が異常の場合、前記メータ交換通知書を出力する際に、使用水量が異常である旨の警告文言を合わせて出力することを特徴とするデータ管理方法。
【請求項６】
水道メータの交換現場において携帯端末から通信回線を介して送信されたお客様を特定するお客様番号に基づいて、水道システムサーバがデータベースを検索し、お客様番号が一致する使用者情報、および水栓情報を検出するステップと、
前記水道メータの交換の際に取得した前記携帯端末から送信される新しく取り替えられる前記水道メータの情報からなるメータ情報、前記使用者情報、および前記水栓情報と一致する取り外される水道メータの使用者情報を前記データベースから検索し、前記使用者情報が有する前記水道メータの使用状況が在庫状態であるか否かをチェックするステップと、
前記水道メータの使用状況が在庫状態であると判断した際に、取得した前記メータ情報に対応する前記使用者情報、および前記水栓情報を更新するステップとを、前記携帯端末、および前記水道システムサーバを有するコンピュータシステムに実行させ、
前記メータ情報は、水道メータにおけるメータ口径、メータ種別、およびメータ番号を有することを特徴とするプログラム。
【請求項７】
請求項６記載のプログラムにおいて、
前記水道システムサーバから送信された前記検索結果、および入力された水道メータの交換作業を行った結果の取り外しメータ指針に基づいて、前記携帯端末が３０日当たりの換算使用水量を算出し、算出した前記換算使用水量が異常であるか正常であるかを判定し、前記判定結果を前記水道システムサーバに送信するステップと、
前記検出した前記使用者情報、および前記水栓情報を更新するステップが終了した後、前記水道システムサーバが、水道メータが交換されたことを水道使用者に通知するメータ交換通知書を出力するステップとを前記コンピュータシステムに実行させることを特徴とするプログラム。
【請求項８】
請求項７記載のプログラムにおいて、
前記携帯端末から送信された換算使用水量の判定結果が異常の際に、前記メータ交換通知書に使用水量が異常である旨の警告文言を出力するステップとを前記コンピュータシステムに実行させることを特徴とするプログラム。
【発明の詳細な説明】
【技術分野】
【０００１】
本発明は、水道メータの交換技術に関し、特に、水道メータ交換業務の高効率化に有効な技術に関する。
【背景技術】
【０００２】
水道メータの交換作業は、８年毎に定期的に行われている。交換作業においては、交換対象となる水道メータ数が多いため、事前に水道メータの交換対象となる地域の交換情報（例えば、水道メータの置かれている場所、取り外す水道メータの種類や番号、最後に水道メータを検針したときの指針など）をリスト出力し、交換担当者に渡している。
【０００３】
交換担当者は、そのリストをもとに、水道メータが設定されている場所に赴いて交換作業を行い、その結果をリスト上に記入する。
【０００４】
交換担当者による全てのメータ交換作業が終了した後に水道システムのある事務所に戻り、交換担当者は、リストに記入された内容をシステムに反映するための入力を行う。その場合の反映手段としては、１つ１つのデータを手入力で行うか、専用の機器を用いて行っている。
【０００５】
この種のメータにおける指針データの処理技術に関しては、例えば、携帯型ハンディターミナルを使用してデータを収集し、そのデータを中央処理装置を用いて処理するもの（例えば、特許文献１参照）、旧メータと新メータを同時に設定器に接続し、この設定器を中継して旧メータのデータを新メータに転送するもの（特許文献２参照）、あるいは分散設置されたガスマイコンメータと回線、交換機などを介して視診センタの回線端末装置に接続された無線機能付き回線端末機との間を電波携帯の無線信号で交信し、電気工事費を安くするもの（特許文献３参照）などがある。
【先行技術文献】
【特許文献】
【０００６】
【特許文献１】特開昭６３−２２８２７５号公報
【特許文献２】特開平０２−２２２１００号公報
【特許文献３】特開平０４−２９４４９９号公報
【発明の概要】
【発明が解決しようとする課題】
【０００７】
ところが、上記のような水道メータの交換技術では、次のような問題点があることが本発明者により見い出された。
【０００８】
まず、事前に交換担当者へ交換情報をリスト出力するため、リスト出力後に最終検針指針の変更や、使用者の転居に伴う異動が発生する場合があり、出力内容が最新の情報ではない場合がある。
【０００９】
メータ交換情報（取り外し指針、取り付けメータ番号、取り付けメータ指針など）を交換担当者が誤記入することがある。
【００１０】
メータ交換時に最終検針時点からメータ交換取り外し時までの、期間中の使用水量の異常水量チェック（過大・過小チェック）が交換現場で容易にできない。
【００１１】
交換担当者は、交換内容を水道事務所に戻ってから手入力、または専用機器から入力してシステムに反映する必要があり、多くのコストや工数などが必要となる。
【００１２】
実際のメータ交換日からシステムの更新までにタイムラグが発生し、使用者からの問い合わせに即座に対応できない。
【００１３】
本発明の目的は、メータ交換現場でのメータ交換情報を取得し、その場で入力内容をチェックし、交換内容を即座にシステムに反映することのできる技術を提供することにある。
【００１４】
本発明の前記ならびにそのほかの目的と新規な特徴については、本明細書の記述および添付図面から明らかになるであろう。
【課題を解決するための手段】
【００１５】
本願において開示される発明のうち、代表的なものの概要を簡単に説明すれば、次のとおりである。
【００１６】
すなわち、前述の目的を達成するために、本発明では、メータ交換の現場において通信回線を介して交換者の情報を入力し、取り外し指針や取り付けメータの番号などの入力を行い、入力された交換内容の情報を即座にシステム側に反映する仕組みを実現する。
【００１７】
本発明は、通信回線に接続される携帯端末と、該通信回線を介して携帯端末に接続される水道システムサーバと、該水道システムサーバに接続され、水道使用者の情報からなる使用者情報（使用者情報マスタ）、水栓の情報からなる水栓情報（水栓情報マスタ）、および新旧のメータの情報からなるメータ情報（メータマスタ）を格納するデータベースとを有するメータ交換システムである。
【００１８】
水道システムサーバは、携帯端末から通信回線を介して、メータ交換現場において送信されたお客様を特定するお客様番号に基づいて、データベースを検索し、お客様番号が一致する使用者情報マスタレコード、および水栓情報マスタレコードを検出し、検索結果として携帯端末に送信する。
【００１９】
また、携帯端末から送信された新しく取り付ける水道メータのメータ情報に基づいて、使用者情報マスタレコード、および水栓情報マスタレコードを更新する。
【００２０】
さらに、本発明は、メータ交換の現場において通信回線を介して交換者の情報や取り外し指針や取り付けメータの番号などを入力し、その入力された交換内容の情報を即座にシステム側に反映するシステムによる方法や前記システムとしてコンピュータシステムを機能させるプログラムにも適用することができる。
【発明の効果】
【００２１】
本願において開示される発明のうち、代表的なものによって得られる効果を簡単に説明すれば以下のとおりである。
【００２２】
（１）メータ交換現場において、最新情報を取得することができる。
【００２３】
（２）また、メータ交換現場において入力内容の整合性を確認することができる。
【００２４】
（３）メータ交換に伴う更新時間を短縮し、工数を大幅に低減することができる。
【図面の簡単な説明】
【００２５】
【図１】本発明の一実施の形態による水道メータ交換システムにおける構成の一例を示す説明図である。
【図２】図１の水道メータ交換システムに設けられた携帯端末、および水道システムサーバの構成例を示す説明図である。
【図３】図１の水道メータ交換システムのデータベースに格納される使用者情報マスタ、水栓情報マスタ、およびメータ情報マスタにおけるテーブルレイアウトの一例を示す説明図である。
【図４】図３のテーブルにおけるレコード内容の一例を示す説明図である。
【図５】図１の水道メータ交換システムのデータベースに格納される使用者情報マスタ、水栓情報マスタ、およびメータ情報マスタにおける一例を示した関連図である。
【図６】図１の水道メータ交換システムにおける動作の一例を示すフローチャートである。
【図７】図６における水道メータ交換システムによるデータ検索例を示す説明図である。
【図８】図７に続くデータ検索例を示す説明図である。
【図９】図１の水道メータ交換システムによる換算水量の算出、使用水量の許容範囲の算出、および通達判定の一例を示した説明図である。
【図１０】図１の水道メータ交換システムにおける携帯端末から出力されるメータ交換通知書の一例を示す説明図である。
【発明を実施するための形態】
【００２６】
以下、本発明の実施の形態を図面に基づいて詳細に説明する。なお、実施の形態を説明するための全図において、同一の部材には原則として同一の符号を付し、その繰り返しの説明は省略する。
【００２７】
図１は、本発明の一実施の形態による水道メータ交換システムにおける構成の一例を示す説明図、図２は、図１の水道メータ交換システムに設けられた携帯端末、および水道システムサーバの構成例を示す説明図、図３は、図１の水道メータ交換システムのデータベースに格納される使用者情報マスタ、水栓情報マスタ、およびメータ情報マスタにおけるテーブルレイアウトの一例を示す説明図、図４は、図３のテーブルにおけるレコード内容の一例を示す説明図、図５は、図１の水道メータ交換システムのデータベースに格納される使用者情報マスタ、水栓情報マスタ、およびメータ情報マスタにおける一例を示した関連図、図６は、図１の水道メータ交換システムにおける動作の一例を示すフローチャート、図７は、図６における水道メータ交換システムによるデータ検索例を示す説明図、図８は、図７に続くデータ検索例を示す説明図、図９は、図１の水道メータ交換システムによる換算水量の算出、使用水量の許容範囲の算出、および通達判定の一例を示した説明図、図１０は、図１の水道メータ交換システムにおける携帯端末から出力されるメータ交換通知書の一例を示す説明図である。
【００２８】
〈発明の概要〉
本発明の第１の概要は、通信回線（通信回線５）に接続される携帯端末（携帯端末２）と、通信回線を介して携帯端末に接続される水道システムサーバ（水道システムサーバ３）と、該水道システムサーバに接続され、水道使用者の情報からなる使用者情報（使用者情報マスタ）、水栓の情報からなる水栓情報（水栓情報マスタ）、および新旧のメータの情報からなるメータ情報（メータ情報マスタ）を格納するデータベース（データベース４）とを有するメータ交換システム（水道メータ交換システム１）からなる。
【００２９】
水道システムサーバは、携帯端末から通信回線を介して、メータ交換現場において送信されたお客様を特定するお客様番号に基づいて、データベースを検索し、お客様番号が一致する使用者情報マスタレコード、および水栓情報マスタレコードを検出し、検索結果として携帯端末に送信する。
【００３０】
さらに、水道システムサーバは、携帯端末から送信された新しく取り付ける水道メータのメータ情報に基づいて、使用者情報マスタレコード、および水栓情報マスタレコードを更新する。
【００３１】
また、本発明の第２の概要は、通信回線（通信回線５）に接続される携帯端末（携帯端末２）と、通信回線を介して携帯端末に接続される水道システムサーバ（水道システムサーバ３）とを有するコンピュータシステム（水道メータ交換システム１）によって水道メータ交換に伴うデータ処理を行うデータ管理方法である。
【００３２】
メータ交換現場において携帯端末から通信回線を介して送信されたお客様を特定するお客様番号に基づいて、水道システムサーバがデータベースを検索し、お客様番号が一致する使用者情報（使用者情報マスタ）、および水栓情報（水栓情報マスタ）を検出するステップと、携帯端末から通信回線を介して送信された新しい水道メータのメータ情報（メータ情報マスタ）を受信し、検出した使用者情報、および水栓情報を更新するステップとを有する。
【００３３】
さらに、本発明の第３の概要は、携帯端末（携帯端末２）、および水道システムサーバ（水道システムサーバ３）を有するコンピュータシステム（水道メータ交換システム１）に実行させるプログラムである。
【００３４】
このプログラムは、メータ交換現場において携帯端末から通信回線を介して送信されたお客様を特定するお客様番号に基づいて、水道システムサーバがデータベースを検索し、お客様番号が一致する使用者情報（使用者情報マスタ）、および水栓情報（水栓情報マスタ）を検出するステップと、携帯端末から通信回線を介して送信された新しい水道メータのメータ情報（メータ情報マスタ）を受信し、メータ情報に基づいて検出した使用者情報、および水栓情報を更新するステップとを有する。
【００３５】
以下、上記した概要に基づいて、実施の形態を詳細に説明する。
【００３６】
〈水道メータ交換システムの構成〉
水道メータ交換システム１は、図１に示すように、携帯端末２、水道システムサーバ３、およびデータベース４から構成されている。交換現場では、取り外しされる水道メータと新しい取り付けされる水道メータとの取り替え作業を行う。
【００３７】
携帯端末２に入力されたデータは、例えば、電話回線などの通信回線５を経由して水道システムサーバ３に送信される。水道システムサーバ３は、水道事務所などが有するサーバである。
【００３８】
〈水道システムサーバ、および携帯端末の構成〉
水道システムサーバ３は、図２に示すように、例えば、検索部３１、交換メータ検索部３２、交換結果更新部３３、およびメータ交換結果出力部３４などを有している。検索部３１は、メータ番号を検索する。交換メータ検索部３２は、交換メータを検索する。交換結果更新部３３は水道メータの交換結果を更新処理する。メータ交換結果出力部３４は、水道メータの交換結果を出力する。出力された交換結果は、例えば、プリンタなどによってメータ交換通知書９１０としてプリントされる。
【００３９】
また、携帯端末２は、図２に示すように、送信部２１、入力部２２、ならびに取り付け情報入力部２３などを有している。送信部２１は、使用者情報を水道システムサーバ３に送信する。検索部３１は、メータ番号を検索する。取り付け情報入力部２３は、水道メータの取り付け情報などを処理する。
【００４０】
検索部３１、交換メータ検索部３２、交換結果更新部３３、およびメータ交換結果出力部３４の各種機能は、たとえば、水道システムサーバ３のプログラム格納メモリ（図示せず）などに記憶されているプログラム形式のソフトウェアを該水道システムサーバ３のＣＰＵ(Central Processing Unit)などが実行することにより実現する。
【００４１】
また、送信部２１、入力部２２、ならびに取り付け情報入力部２３などの各種機能は、たとえば、携帯端末２のプログラム格納メモリ（図示せず）などに記憶されているプログラム形式のソフトウェアを該携帯端末２のＣＰＵなどが実行することにより実現する。
【００４２】
水道システムサーバ３は、データベース４を有している。データベース４には、使用者情報マスタ１１２、水栓情報マスタ１１３、およびメータ情報マスタ１１４などの情報が格納されている。
【００４３】
〈使用者情報マスタ、水栓情報マスタ、およびメータ情報マスタのテーブルレイアウト例〉
使用者情報マスタ１１２、水栓情報マスタ１１３、およびメータ情報マスタ１１４におけるテーブルレイアウトの一例は、図３に示したとおりであり、これらテーブルのレコード内容の一例については、図４に示したとおりである。
【００４４】
また、図５は、使用者情報マスタ１１２、水栓情報マスタ１１３、およびメータ情報マスタ１１４における関連図である。
【００４５】
使用者情報マスタ１１２と水栓情報マスタ１１３は、「お客様番号」、「水栓番号」を主キー項目とし、それぞれのテーブルに同じキー値を持つことで対応付けしている。また、水栓情報マスタ１１３とメータ情報マスタ１１４は、メータ情報マスタ１１４の主キーである「メータ口径」、「メータ種別」、「メータ番号」を水栓情報マスタ１１３の「新メータ情報」、「旧メータ情報」としてそれぞれ対応するメータ情報マスタ１１４のキーを持っている。
【００４６】
水道メータ交換システム１は、携帯端末２から送信された内容をもとに、データベース４に格納されている使用者情報マスタ１１２、水栓情報マスタ１１３、およびメータ情報マスタ１１４などを検索し、内容チェックやシステムデータの更新を行い、通信回線５を経由して処理結果を携帯端末２に返信する。携帯端末２は、水道システムサーバ３からの受信結果をもとに、交換結果であるメータ交換通知書９１０を出力する。
【００４７】
〈水道メータ交換システムの動作例〉
次に、本実施の形態による水道メータ交換システム１における動作について、図６のフローチャート、および図７、図８のデータ検索例の説明図を用いて説明する。
【００４８】
〈送信部の動作〉
始めに、メータ交換担当者は、メータ交換現場にて、図７に示すお客様番号（図７の検索例４１１）を携帯端末２に入力する（ステップＳ１０１）。お客様番号は、お客様を特定する番号である。
【００４９】
お客様番号が入力されると、送信部２１は、通信回線５を経由して水道システムサーバ３にお客様番号を送信する（ステップＳ１０２）。
【００５０】
〈検索部の動作〉
続いて、水道システムサーバ３が、携帯端末２から送信されたお客様番号４１１を受信すると（ステップＳ１０３）、検索部３１は、使用者情報マスタ１１２から、お客様番号４１１と一致する使用者情報マスタレコード（図７の検索例４１２に示す）を検索する（ステップＳ１０４）。
【００５１】
使用者情報マスタレコードは、使用者に関する情報であり、例えば、お客様番号、水栓番号、お客様氏名、お客様電話番号、使用状況、検針日、および使用水量などの情報からなる。
【００５２】
そして、検索部３１は、水栓情報マスタ１１３を検索し、ステップＳ１０４の処理において検索された水栓番号と一致する水栓情報マスタレコード（図７の検索例４１４）を検索する（ステップＳ１０４）。
【００５３】
水栓情報マスタレコードは、使用者の水道メータを特定する情報であり、例えば、水栓番号、お客様番号、メータ所在地、水栓状況、今回取り外される水道メータの情報（メータ口径、メータ種別、メータ番号）、メータ交換日、取り付け指針、取り外し指針、および前回取り外された水道メータの情報（前メータ口径、前メータ種別、前メータ番号）などが格納されている。
【００５４】
検索部３１は、ステップＳ１０４の処理において検索された使用者情報マスタレコード４１２、ならびに水栓情報マスタレコード４１４を１つに纏めて検索結果（図７の検索例４１５）として、通信回線５を経由して携帯端末２に送信する(ステップＳ１０５)。
【００５５】
〈入力部の動作〉
携帯端末２は、水道システムサーバ３から送信された検索結果（図７の検索例４１５）を受信すると（ステップＳ１０６）、入力部２２は、該受信データである検索結果を携帯端末２の画面に表示する。
【００５６】
メータ交換担当者は、交換作業を行った結果の取り外しメータ指針を携帯端末２に入力する（ステップＳ１０７）。入力部２２は、メータ取り外し結果の取り外し指針と検索結果の指針との差を求める。
【００５７】
そして、入力部２２は、図９（ａ）に示す換算水量算出式から、検索結果の検針日と携帯端末２のシステム処理日付の日数差、および検索結果の指針と取り外し指針差とから、１ヶ月（３０日）あたりの換算使用水量を算出する（ステップＳ１０８）。
【００５８】
続いて、検索結果４１５の使用水量に、図９（ｂ）に示す水道メータ交換システム１内に共通して保持している許容上限率、および許容下限率をそれぞれ掛けて許容水量範囲を求める。求めた許容水量範囲内に換算使用水量が含まれるか比較し（ステップＳ１０９）、水量異常があるかないかの判定を行う（ステップＳ１１０）。
【００５９】
この判定は、例えば、図９（ｃ）に示す通達判定式によって判定される。換算使用水量が許容範囲外の場合には、通達出力有りと判定され、使用者に対して通達が必要となる（ステップＳ１１１）。
【００６０】
その後、メータ交換担当者は、今回取り付ける新しい水道メータの情報を携帯端末２に入力する（ステップＳ１１２）。このステップＳ１１２の処理において入力される情報（入力項目）は、例えば、メータ口径、メータ種別、およびメータ番号である。
【００６１】
携帯端末２のシステム日付をメータ交換日とし、取り外し指針、取り付けメータ口径、取り付けメータ種別、取り付けメータ番号を、交換結果情報（図７の検索例４２０）として水道システムサーバ３に通信回線５を介して送信する（ステップＳ１１３）。
【００６２】
〈交換メータ検索部の動作〉
水道システムサーバ３が携帯端末２から送信された交換結果情報（図７の検索例４２１）を受信すると（ステップＳ１１４）、交換メータ検索部３２は、交換結果情報の取り付けメータ口径、取り付けメータ種別、および取り付けメータ番号が、データベース４のメータ情報マスタ１１４のキー項目と一致するメータマスタレコード（図７の検索例４２２）を検索する（ステップＳ１１５）。
【００６３】
検索したメータマスタレコードのメータ状況が在庫状態ならば正常、メータ状況が在庫状態以外ならば異常をチェック結果（図７の検索例４２３）として携帯端末２に通信回線５を経由して送信する（ステップＳ１１６）。
【００６４】
〈取り付け情報入力部の動作〉
続いて、携帯端末２が、水道システムサーバ３から送信されたチェック結果を受信すると（ステップＳ１１７）、取り付け情報入力部２３は、チェック結果が正常であるか、異常であるかを判断する（ステップＳ１１８）。
【００６５】
チェック結果が異常の場合には、ステップＳ１１２の処理に戻り、再処理（ステップＳ１１２〜Ｓ１１７）を行う（ステップＳ１１９）。
【００６６】
また、チェック結果が正常の場合には、メータ取り付け指針を入力した後（ステップＳ１２０）、入力したメータ取り付け指針を水道システムサーバ３に通信回線５を経由して送信する（ステップＳ１２１）。
【００６７】
〈交換結果更新部の動作〉
水道システムサーバ３が携帯端末２から送信された取り付け指針を受信すると（ステップＳ１２２）、交換結果更新部３３は、ステップＳ１１４の処理において受信した交換結果情報の取り外し指針を更新し、交換日をメータ交換日とし、メータ取り付け指針、および水栓情報マスタレコード（図８の検索例４１４）のメータ口径、メータ種別、メータ番号を前メータ情報(図８の検索例４４１)とし、取り外しデータを更新する。
【００６８】
水栓情報マスタレコード（図８の検索例４１４）の更新結果の前メータ口径、前メータ種別、前メータ番号をキー項目としてメータ情報マスタ１１４を検索する（図８の検索例４４４）。
【００６９】
そして、一致するメータマスタレコード（図８の検索例４４４）のメータ状況を在庫に更新（図８の検索例４４５）する（ステップＳ１２３）。また、取り付けメータ口径、取り付けメータ種別、ならびに取り付けメータ番号を現在のメータ情報（図８の検索例４４２）として水栓マスタレコード（図８の検索例４１４）を更新する（ステップＳ１２４）。
【００７０】
水栓情報マスタの更新結果であるメータ口径、メータ種別、およびメータ番号をキー項目としてメータ情報マスタ１１４を検索する（図８の検索例４４６）。一致するメータマスタレコードのメータ状況を使用中に更新する（図８の検索例４４７）。
【００７１】
更新が終わると更新終了（図８の検索例４４８）を携帯端末２に通信回線５を経由して送信する（ステップＳ１２４）。
【００７２】
〈メータ交換結果出力部の動作〉
水道システムサーバ３が更新処理終了を受信すると（ステップＳ１２５）、メータ交換結果を出力する（ステップＳ１２６）。出力されたメータ交換結果は、例えば、水道システムサーバ３に接続されたプリンタ（図示せず）などによって、お客様に通知する図１０に示すメータ交換通知書９１０などがプリントアウトされる。
【００７３】
ここで、メータ交換通知書には、図９（ｃ）に示す通達出力があれば、交換までの使用水量に異常が検知された警告文言９１１が付け加えられるように出力される。
【００７４】
それにより、本実施の形態によれば、メータ交換現場において携帯端末２から通信回線５を経由して水道メータに関する各種情報を入手することが可能となり、常に最新情報を取得することができる。
【００７５】
また、メータ交換現場において携帯端末２に取り外し水道メータの指針、取り付ける水道メータ番号の入力などを行うことができるので、メータ交換現場において、入力内容の整合性を確認することができる。
【００７６】
さらに、携帯端末２から取り外し水道メータの指針を入力することで、メータ交換現場において交換までの使用水量の異常チェックを簡単に機械的に行うことができ、水量に異常が検知された場合、住民へ即時通知などが可能となりサービスを向上させることができる。
【００７７】
また、通信回線５を介して通信を行うことにより、携帯端末２の入力内容を水道システムサーバ３に即時反映可能となり、事務所への移動時間、水道システムサーバ３への入力時間を削減することができる。
【００７８】
さらに、メータ交換対象者全ての処理が終わるまでシステムに反映されなかった交換内容を交換現場から入力することができるので、即時に水道使用者への対応を可能とすることができる。
【００７９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００８０】
本発明は、水道メータ交換におけるデータ更新登録の高効率化技術に適している。
【符号の説明】
【００８１】
１  水道メータ交換システム
２  携帯端末
２１  送信部
２２  入力部
２３  取り付け情報入力部
３  水道システムサーバ
３１  検索部
３２  交換メータ検索部
３３  交換結果更新部
３４  メータ交換結果出力部
４  データベース
５  通信回線
１１２  使用者情報マスタ
１１３  水栓情報マスタ
１１４  メータ情報マスタ
９１０  メータ交換通知書
９１１  警告文言
【図１】
0005650101.tif 000002
【図２】
0005650101.tif 000003
【図３】
0005650101.tif 000004
【図４】
0005650101.tif 000005
【図５】
0005650101.tif 000006
【図６】
0005650101.tif 000007
【図７】
0005650101.tif 000008
【図８】
0005650101.tif 000009
【図９】
0005650101.tif 000010
【図１０】
0005650101.tif 000011